(57)【要約】【課題】本考案は、紫外線の照射によって変色するパール装飾部材を取付けることによりファッション性の優れたアクセサリを提供することを目的とするものである。【解決手段】本考案は、その一部にパール装飾部材３が取り付けられるアクセサリにおいて、前記パール装飾部材３に、紫外線の照射により変色する物質が設けられる。【選択図】図１
0003132449.tif 000002
【実用新案登録請求の範囲】
【請求項１】
その一部にパール装飾部材が取り付けられるアクセサリにおいて、
前記パール装飾部材に、紫外線の照射により変色する物質が設けられる
ことを特徴とする紫外線検知用アクセサリ。
【請求項２】
前記アクセサリがブローチである
ことを特徴とする請求項１記載の紫外線検知用アクセサリ。
【請求項３】
前記アクセサリがペンダントである
ことを特徴とする請求項１記載の紫外線検知用アクセサリ。
【請求項４】
前記ブローチの裏面に首輪挿通用リング部を設けることにより、ペンダントと併用することができる
ことを特徴とする請求項２記載の紫外線検知用アクセサリ。
【請求項５】
前記パール装飾部材が、紫外線の照射によりピンクに変色する
ことを特徴とする請求項１、２または３記載の紫外線検知用アクセサリ。
【考案の詳細な説明】
【技術分野】
【０００１】
本考案は、紫外線検知用アクセサリに関する。詳しくは紫外線により色が変化するパールによるアクセサリに係るものである。
【背景技術】
【０００２】
身体に装着されるアクセサリとしては、ペンダント、ネックレスなどの種々のものがあるが、単なる装飾品として用いられるものが一般的である。
いっぽう、近年ではオゾン層の破壊などの環境の変化により、強い紫外線が身体に照射されることにより、シミの発生や皮膚癌の要因となることが多く、特に女性では外出する前に日焼けクリームを塗る、あるいは日よけ用の帽子や日傘などの日焼け防護対策の準備をするなどのことが行われている。
【０００３】
ところが紫外線の強度は天候や季節に応じて著しく変化し、紫外線をチェックするのは困難である。そこで簡単な紫外線のチェックを行うことができるものとして、例えば図５に示すような紫外線検知用アクセサリがある。この紫外線検知用アクセサリとしてのペンダント本体１０１は、装飾が施されたアンプル部１０２と、このアンプル部１０２の上面に固定されたキャップ部１０３とから構成され、このアンプル部１０２は、紫外線を透過し、かつ外部から内部が視認できる透明ガラス又はプラスチック等により構成されており、その内部には紫外線により呈色反応を生じる物質１０４が封入される（特許文献１参照。）。
【０００４】
【特許文献１】特開平１−３１０６０２号公報（明細書、第１図）
【考案の開示】
【考案が解決しようとする課題】
【０００５】
しかしながら前記構成のアクセサリでは、透明ガラス又はプラスチック等のアンプル部１０２内に呈色反応を生じる物質１０４が封入されるものであるために、宝石やパールなどの装飾部材を取付けたブローチなどと比べた場合にファション性において非常に劣る問題がある。
【０００６】
また、紫外線の照射によって単に変色する場合には、他の部材との色の調和が取れなく、呈色反応を生じる物質を収納した容器や呈色反応を生じる物質を塗布した装飾部材のみが浮き上がった状態となりアクセサリとして活用し難い問題がある。
【０００７】
また、ブローチやペンダントなどのアクセサリでは、装飾部材として宝石やパールなどを使用して草花をイメージしたものが多く、このようなデザインのアクセサリに従来のような呈色反応を生じる物質を適用することは困難である。
【０００８】
本考案は、以上の点に鑑みて創案されたものであって、紫外線の照射によって変色するパール装飾部材を取付けることによりファッション性の優れたアクセサリを提供することを目的とするものである。
【課題を解決するための手段】
【０００９】
上記の目的を達成するために、本考案に係る紫外線検知用アクセサリは、その一部にパール装飾部材が取り付けられるアクセサリにおいて、前記パール装飾部材に、紫外線の照射により変色する物質が設けられる。
【００１０】
ここで、ブローチ、あるいはペンダントとしてアクセサリの一部にパール装飾部材が設けられ、このパール装飾部材に紫外線が照射されることによって色が変色する物質がパール装飾部材に含有される、あるいはその表面に形成されることによって、外出時における紫外線の照射によりピンク、青などに変色することで視認による紫外線の強弱を確認することが可能となる。
【００１１】
なお、パール装飾部材とは、硬質プラスチック、あるいはガラスなどの核材にパール顔料を含んだ塗料をコーティングすることにより球形状の合成パールを作成する。あるいは、熱可塑性樹脂に雲母等を含むパール顔料を添加し、十分に混練、溶融し、球形状に成形したものであり、この作成段階において紫外線により変色する物質を加えるものである。
また、近年、パール顔料を使用するパール光沢を有する樹脂成形品に代えて、例えば、ポリエステル系樹脂とポリオレフィン系樹脂またはメタクリル系樹脂とからなる相互に相溶しない樹脂をブレンドした樹脂組成物を使用し、これを溶融、成形してなるパール光沢を有するパール部材が知られている。
【００１２】
また、紫外線が照射されることによって色が変色する物質としては、硫化亜鉛、ケイ酸亜鉛、硫化カドミウム、硫化ストロンチウムもしくはタングステン酸カルシウム等の無機蛍光顔料、またはブリリアントサルホフラビンＦＦ（黄）、ベーシックイエローＨＧ（黄）、エオシン（赤）、ローダミン６Ｇ（赤）もしくはローダミンＢ（赤）等の有機蛍光顔料があげられる。
【考案の効果】
【００１３】
本考案の紫外線検知用アクセサリによれば、外出する際に太陽光による紫外線がパール装飾部材に照射されることにより、赤色、青色、あるいは紫色などに変色することにより紫外線の強弱を直接に確認することができる。したがって、この変色の度合いに応じたＵＶカット手段を講じることが可能となる。
【００１４】
また、一般的な装飾部材として使用されるパールが変色することにより、デザインとしての違和感が全く無く、かつ変色しても、変色した場合に違和感のないような他の装飾部材との色の調和を考慮することによってファンション性を損なうことが無い。
【００１５】
また、一般的な装飾部材として使用されるパールは室内においては白色系であり、パール本来のエレガントな美しさを醸し出し、外出した場合には紫外線の照射によってピンク系に変色することによって躍動的な美しさを演出することが可能となる。
【考案を実施するための最良の形態】
【００１６】
以下、本考案の実施の形態を図面を参酌しながら説明し、本考案の理解に供する。
図１に、本考案を適用した紫外線検知用アクセサリとしてのブローチの一例を示す平面図、図２に、図１における裏面図を示す。
【００１７】
ここで示すブローチ１は、花かごのイメージを基に作成されるものであり、花かごはニッケル合金による金属製の装飾部材２によって形成され、この花かごに盛られた花としてパール装飾部材３が取り付けられた構成とされるものである。
【００１８】
また、前記ブローチ１の裏面には、衣服に挿し通して係着させる係止用ピン４の基部が回動自在な状態で取り付けられ、更に、前記係止用ピン４の先端側を任意に係留させるためのピン止め部５が前記ブローチ１の裏面に取り付けられる。
【００１９】
更に、前記ブローチ１の裏面上部には首輪挿通用リング部６が突設され、図３に示すように前記首輪挿通用リング部６に首輪８を通すことによりペンダント７として併用することが可能となる。
【００２０】
そこで前記パール装飾部材３は、装飾用としての合成パールを用いるものであり、この合成パールとしては、硬質プラスチック、あるいはガラスなどの核材にパール顔料を含んだ塗料をコーティングすることにより球形状の合成パールを作成する。あるいは、熱可塑性樹脂に雲母等を含むパール顔料を添加し、十分に混練、溶融し、球形状に成形することによりパール光沢を有する合成パールを作成する。
【００２１】
ここで、本考案ではパール塗料に紫外線に反応して発色する物質を混ぜ合わせてコーティングする。あるいは、硬質プラスチックによる核材を作成する際に紫外線に反応して発色する物質を練り込むことにより、前記パール塗料、あるいは核材に紫外線が照射されることによりピンク色、青色、あるいは黄色などに発色する構成とするものである。
【００２２】
この紫外線に反応して発色する物質としては、例えば、硫化亜鉛、ケイ酸亜鉛、硫化カドミウム、硫化ストロンチウムもしくはタングステン酸カルシウム等の無機蛍光顔料、またはブリリアントサルホフラビンＦＦ（黄）、ベーシックイエローＨＧ（黄）、エオシン（赤）、ローダミン６Ｇ（赤）もしくはローダミンＢ（赤）等の有機蛍光顔料があげられる。無機蛍光顔料は、光に対して安定であり、かつ無機物であることから耐熱性に優れているという利点がある。いっぽう、有機蛍光顔料は、染料を色素として使用しているので色が鮮やかであり色価が高いという利点がある。本発明においては、色が鮮やかであり色価が高いという点から有機蛍光顔料を使用する。
【００２３】
そこで有機蛍光顔料としては、その他にも、高分子化合物を染色した有機蛍光顔料が挙げられる。このときの高分子化合物としては窒素を有する高分子化合物、例えばアクリロニトリル系、尿素樹脂系またはウレタン系等が挙げられる。
【００２４】
染色する色素は、Ｃ．Ｉ．ダイレクトレッド２もしくはＣ．Ｉ．ダイレクトイエロー２７等の直接染料；Ｃ．Ｉ．アシッドレッド８７、Ｃ．Ｉ．アシッドブルー９、Ｃ．Ｉ．アシッドイエロー２３、Ｃ．Ｉ．アシッドレッド９２もしくはＣ．Ｉ．アシッドブラック２等の酸性染料；Ｃ．Ｉ．ベーシックブルー４５、Ｃ．Ｉ．ベーシックレッド１、Ｃ．Ｉ．ベーシックバイオレット１、Ｃ．Ｉ．ベーシックバイオレット７、Ｃ．Ｉ．ベーシックバイオレット１１、もしくはベーシックイエロー４０等の塩基性染料が挙げられる。この有機蛍光顔料は、高分子を合成する前段階で単量体に染料を反応させたり、重合中に染料を反応させたり、合成後に反応又は染着したりして得ることができる。
【００２５】
なお、有機蛍光顔料として市販品を適宜用いてもよく、例えば、ＮＫＷ−３００２（緑色）、同３００５（黄色）、同３００４（橙色）、同３００７（桃色）、同３０７７（紫色）、同３００８（水色）、ＮＫＷ−３６０２（緑色）、同３６０５（黄色）、同３６０４（橙色）、同３６０７（桃色）、同３６７７（紫色）、同３６０８（水色）（以上、日本蛍光化学（株）製）、コスモカラーＳ−１０００Ｆシリーズ（東洋ソーダ（株）製）などが挙げられる。
【００２６】
また、図４（イ）（ロ）にそれぞれ示すのは、本考案を適用したブローチの他の形態を示す説明図である。
ここで図４（イ）に示すブローチ１は、ニッケル合金による装飾部材２によって小枝のイメージに形成され、この小枝の装飾部材２に花としてパール装飾部材３が２個取り付けられた構成とされるものである。
【００２７】
また、図４（ロ）に示すブローチ１は、ニッケル合金による装飾部材２によってウエーブのイメージに形成され、この装飾部材２の一端側にそれぞれ直径の異なるパール装飾部材３が３個取り付けられた構成とされるものである。
【００２８】
なお、前記ブローチ１の裏面には、前記図２において詳述したように、衣服に挿し通して係着させる係止用ピン４の基部が回動自在な状態で取り付けられ、更に、前記係止用ピン４の先端側を任意に係留させるためのピン止め部５が前記ブローチ１の裏面に取り付けられる。
【００２９】
前記パール装飾部材は、白色系のものを使用し、紫外線の照射により桃色、青色、黄色などに発色することが望ましい。したがって、ブローチやペンダントに異なる色を発色するパール装飾部材を設けるものであっても構わない。
なお、本実施例では屋内では白色であり、屋外での紫外線の照射によってピンク系に変色するパール装飾部材を用いることによりファンション性を高めることが可能となる。
【００３０】
また、本実施例においてはブローチおよびペンダントについて詳述してきたが、これらのアクセサリの他に指輪、ネックレス、イヤリング、ブレスレット等があり、本考案の紫外線によって発色するパール装飾部材を使用したアクセサリであればいかなるものであっても構わない。
さらに、複数個のパール装飾部材を用いる場合には紫外線の照射によって色が変わらないものと、紫外線の照射によって色が変わるものとの混同、あるいはそれぞれ直径の異なる複数個のパール装飾部材を用いるものであっても構わない。
【００３１】
以上の構成よりなる本考案では、前記詳述したブローチ１を服に着ける、あるいはペンダント７を身に付けて外出する場合に、ブローチ１、あるいはペンダント７に取り付けられるパール装飾部材３が太陽光により紫外線に照射されることにより、パール装飾部材３に含まれる有機蛍光顔料、あるいは無機蛍光顔料が化学反応を生じ、ピンク色、黄色、青色などの色に変色することになる。
【００３２】
いっぽう、紫外線が照射されないような場所では化学反応が生じないためにパール装飾部材本来の色、例えば元の白色系のパールに戻る。このように、紫外線を受けると変色し、紫外線が照射されない屋内等では元の色に戻るために、紫外線の有無のチェックを行うことが可能となる。
【００３３】
また、紫外線の強弱によって化学反応の度合いが異なり、この化学反応の度合いに応じて発色の濃淡が生ずる。例えば、赤系の有機蛍光顔料を使用した場合には、紫外線の弱い時季や時間帯では淡いピンク色に変色し、紫外線の強い時季や時間帯では赤色に近い色に変色する。したがって、色の変色度合いによってＵＶカット手段としてＵＶカットクリームの使用や、紫外線を遮るための日傘の使用や帽子の着用など事前に紫外線対策を講じることが可能となる。
【図面の簡単な説明】
【００３４】
【図１】本考案を適用した紫外線検知用アクセサリとしてのブローチの一例を示す平面図である。
【図２】図１における裏面図である。
【図３】本考案を適用した紫外線検知用アクセサリとしてのペンダントの一例を示す平面図である。
【図４】本考案を適用した紫外線検知用アクセサリとしてのブローチの他の例を示す平面図である。
【図５】従来の紫外線検知用アクセサリの一例を示す説明図である。
【符号の説明】
【００３５】
１      ブローチ
２      装飾部材
３      パール装飾部材
４      係止用ピン
５      ピン止め部
６      首輪挿通用リング部
７      ペンダント
８      首輪
【図１】
0003132449.tif 000003
【図２】
0003132449.tif 000004
【図３】
0003132449.tif 000005
【図４】
0003132449.tif 000006
【図５】
0003132449.tif 000007